(57)【特許請求の範囲】
【請求項１】
複数のサブキャリアにより情報を伝送する直交周波数分割多重信号を受信する無線通信装置であって、
直交検波後の受信データに位相補正を行って、得られた位相補正後の受信データを出力するとともに、前記直交検波後の受信データに基づいて伝送路歪の量を求めて出力する同期手段と、
前記位相補正後の受信データをフーリエ変換し、得られた周波数軸上の受信データを出力するフーリエ変換手段と、
前記周波数軸上の受信データを復調して、得られた復調後の受信データを出力するとともに、前記周波数軸上の受信データ及び前記復調後の受信データに基づいて伝送路歪の量を求めて出力する復調手段と、
前記復調後の受信データを復号し、得られた復号ビットストリームを出力するとともに、前記復調後の受信データに基づいて伝送路歪の量を求めて出力する復号手段と、
前記同期手段が出力する伝送路歪の量に基づいて、データ精度制御信号を生成し、出力する伝送路歪量検出手段と、
前記データ精度制御信号に応じて受信データ処理のビット幅を変化させるように、前記同期手段、前記フーリエ変換手段、前記復調手段及び前記復号手段を制御するデータ精度制御手段とを備えた
無線通信装置。
【請求項２】
複数のサブキャリアにより情報を伝送する直交周波数分割多重信号を受信する無線通信装置であって、
直交検波後の受信データに位相補正を行って、得られた位相補正後の受信データを出力するとともに、前記直交検波後の受信データに基づいて伝送路歪の量を求めて出力する同期手段と、
前記位相補正後の受信データをフーリエ変換し、得られた周波数軸上の受信データを出力するフーリエ変換手段と、
前記周波数軸上の受信データを復調して、得られた復調後の受信データを出力するとともに、前記周波数軸上の受信データ及び前記復調後の受信データに基づいて伝送路歪の量を求めて出力する復調手段と、
前記復調後の受信データを、ビタビアルゴリズムを用いて復号し、得られた復号ビットストリームを出力するとともに、前記復調後の受信データに基づいて伝送路歪の量を求めて出力するビタビ復号手段と、
前記同期手段、前記復調手段、及び前記ビタビ復号手段が出力する伝送路歪の量のうちの少なくともいずれかに基づいて、データ精度制御信号を生成し、出力する伝送路歪量検出手段と、
前記データ精度制御信号に応じて受信データ処理のビット幅を変化させるように、前記同期手段、前記フーリエ変換手段、前記復調手段及び前記ビタビ復号手段を制御するデータ精度制御手段と、
前記データ精度制御信号に応じて受信データ保持量を変化させるように、前記ビタビ復号手段を制御するデータ保持量制御手段とを備えた
無線通信装置。
【請求項３】
請求項２に記載の無線通信装置において、
前記同期手段は、
前記直交検波後の受信データと所定の同期基準シンボルのパターンとの間の相関値を相関関数として求めるマッチドフィルタと、
１シンボル期間に相当する期間における前記相関関数の２番目に大きい極大値と所定の値との差から前記伝送路歪の量を求めて出力するピーク値差分検出手段とを備える
ことを特徴とする無線通信装置。
【請求項４】
請求項３記載の無線通信装置において、
前記同期手段は、
同期基準シンボルが入力されていない期間には、前記ピーク値差分検出手段のクロックを停止させる
ことを特徴とする無線通信装置。
【請求項５】
請求項２に記載の無線通信装置において、
前記同期手段は、
前記直交検波後の受信データと所定の同期基準シンボルのパターンとの間の相関値を相関関数として求めるマッチドフィルタと、
１シンボル期間に相当する期間における前記相関関数の積分値を、積分期間を移動させながら順次求め、前記積分値が所定の値以上となるような前記積分期間の移動範囲から前記伝送路歪の量を求めて出力する積分演算手段とを備える
ことを特徴とする無線通信装置。
【請求項６】
請求項５に記載の無線通信装置において、
前記同期手段は、
同期基準シンボルが入力されていない期間には、前記積分演算手段のクロックを停止させる
ことを特徴とする無線通信装置。
【請求項７】
請求項２に記載の無線通信装置において、
前記復調手段は、
各サブキャリアの位相及び振幅を表す信号点配置図上における実際の信号点と理想的な信号点との距離を前記伝送路歪の量として出力する
ことを特徴とする無線通信装置。
【請求項８】
請求項２に記載の無線通信装置において、
前記ビタビ復号手段は、
最尤パスのブランチメトリックと、当該最尤パス以外のブランチメトリックとの差が、所定のしきい値以上になるような受信データ保持期間の長さを求め、前記伝送路歪の量として出力する
ことを特徴とする無線通信装置。
【請求項９】
請求項２に記載の無線通信装置において、
前記同期手段は、
前記直交検波後の受信データが入力されると、当該データに基づいて伝送路歪の量を求め、これに応じて当該同期手段における受信データ処理のビット幅を変化させるものであり、
前記復調手段は、
前記フーリエ変換手段が出力する受信データが入力されると、当該データに基づいて伝送路歪の量を求め、これと前記同期手段が求めた伝送路歪の量とに応じて、当該復調手段における受信データ処理のビット幅を変化させるものであり、
前記ビタビ復号手段は、
前記復調手段が出力する受信データが入力されると、当該データに基づいて伝送路歪の量を求め、これと前記同期手段及び前記復調手段が求めた伝送路歪みの量とに応じて、当該ビタビ復号手段における受信データ処理のビット幅と、受信データ保持量とを変化させるものである
ことを特徴とする無線通信装置。
【請求項１０】
請求項２に記載の無線通信装置において、
前記伝送路歪量検出手段は、
複数のレジスタを備え、当該複数のレジスタのうち、前記同期手段、前記復調手段、及び前記ビタビ復号手段が求める各伝送路歪の量の組み合わせに対応するもののそれぞれに、前記データ精度制御信号の値を格納させる
ことを特徴とする無線通信装置。
【請求項１１】
複数のサブキャリアにより情報を伝送する直交周波数分割多重信号を受信する無線通信装置であって、
直交検波後の受信データに位相補正を行って、得られた位相補正後の受信データを出力する同期手段と、
前記位相補正後の受信データをフーリエ変換し、得られた周波数軸上の受信データを出力するフーリエ変換手段と、
前記周波数軸上の受信データを復調して、得られた復調後の受信データを出力する復調手段と、
前記復調後の受信データを、ビタビアルゴリズムを用いて復号し、得られた復号ビットストリームを出力するとともに、前記サブキャリアの変調方式を検出して出力するビタビ復号手段と、
前記サブキャリアの変調方式に応じて受信データ処理のビット幅を変化させるように、前記同期手段、前記フーリエ変換手段、前記復調手段及び前記ビタビ復号手段を制御するデータ精度制御手段と、
前記サブキャリアの変調方式に応じて受信データ保持量を変化させるように、前記ビタビ復号手段を制御するデータ保持量制御手段とを備えた
無線通信装置。
【請求項１２】
請求項１１に記載の無線通信装置において、
前記ビタビ復号手段は、
前記サブキャリアの変調方式に応じて、動作周波数を変化させる
ことを特徴とする無線通信装置。
【請求項１３】
請求項２又は１１に記載の無線通信装置において、
受信データの所定のビットの値を零に固定することにより、受信データ処理のビット幅を変化させる
ことを特徴とする無線通信装置。
【請求項１４】
請求項２又は１１に記載の無線通信装置において、
データの一部のビットを処理するための回路へのクロックを停止することにより、受信データ処理のビット幅を変化させる
ことを特徴とする無線通信装置。
【発明の詳細な説明】
【０００１】
【発明の属する技術分野】
本発明は、直交周波数多重信号を受信する無線通信装置に関する。
【０００２】
【従来の技術】
近年、移動体向けディジタル音声放送や、地上ディジタルテレビ放送等において、直交周波数多重（Orthogonal Frequency Division Multiplexing、以下ではＯＦＤＭと称す）信号を用いた通信が注目されている。ＯＦＤＭ信号は、周波数の利用効率が良く、多量のデータの高速伝送が可能で、反射波による特性劣化が少ないという特徴を持っている。また、その信号波形がランダム雑音に近い形となるので、他のサービスに混信妨害を与えにくい。
【０００３】
図１５は、従来のＯＦＤＭ信号受信装置のブロック図である。このＯＦＤＭ信号受信装置は、受信動作時の消費電力の削減を図ったものである。図１５において、周波数変換手段１は、受信データを入力とし、周波数変換処理を行い周波数変換後の受信データをＡ／Ｄ変換器２に出力する。Ａ／Ｄ変換器２は、入力されたアナログ受信データをサンプリングし、Ａ／Ｄ変換してディジタル受信データ得て直交検波手段３に出力する。直交検波手段３は、ディジタル受信データをベースバンド帯域にダウンコンバートし、時間軸上の実数部（Ｉ受信データ）と虚数部（Ｑ受信データ）とに分離して、同期手段８４に出力する。
【０００４】
同期手段８４は、Ｉ受信データとＱ受信データとに基づき、タイミング再生を行い、Ｉ受信データ及びＱ受信データの位相補正を行う。同期手段８４は、再生タイミング信号ＴＳを受信制御手段９１に、位相補正後のＩ受信データＩＳ及びＱ受信データＱＳをフーリエ変換手段８５に出力する。フーリエ変換手段８５は、位相補正後のＩ受信データＩＳ及びＱ受信データＱＳに対してフーリエ変換を施し、それぞれを各搬送波ごとの周波数軸上のＩ受信データＩＦ及びＱ受信データＱＦに変換して、復調手段８６に出力する。
【０００５】
復調手段８６は、周波数軸上のＩ受信データＩＦ及びＱ受信データＱＦに基づき、各搬送波ごとの複素平面上での振幅と位相を判定して複素データに変換し、図８のような信号点配置図を参照して復調データを求め、ビタビ復号手段８７に出力する。ビタビ復号手段８７は、復調データに誤り訂正を施し、受信データのビットストリームを出力する。
【０００６】
受信制御手段９１は、再生タイミング信号ＴＳに基づき、受信動作制御信号ＲＣを生成してクロック制御手段９２に出力する。クロック制御手段９２は、受信動作制御信号ＲＣに基づいてクロック制御信号ＣＣを生成し、フーリエ変換手段８５、復調手段８６及びビタビ復号手段８７に出力する。
【０００７】
以上のように、ＯＦＤＭ信号を受信するための処理は演算量が膨大であり、多数の乗算器、及び加算器と、高速に動作するメモリが必要となる。このため、ＯＦＤＭ方式の無線通信装置においては、特に受信動作時の消費電力が非常に大きい。
【０００８】
このため、従来のＯＦＤＭ信号受信装置では、受信データを検出できない場合や、受信データを検出できた場合でも、データを所定の長さだけ受信する前に受信電力が一時的に所定値より小さくなってしまうような場合は、受信制御手段９１がこのような状態を検出してクロック制御手段９２にクロックを停止させ、消費電力の削減を図っていた。
【０００９】
【発明が解決しようとする課題】
このように、従来のＯＦＤＭ信号受信装置では、受信動作時の消費電力が非常に大きいという問題があったため、動作の必要がない場合にクロックを停止して消費電力の削減を図っていた。
【００１０】
しかし、受信動作中の消費電力の削減は図られていなかった。このため、ＯＦＤＭ方式の無線通信装置において、特に受信動作中の消費電力を削減することが望まれていた。
【００１１】
本発明は、受信性能を低下させることなく、受信動作中における消費電力を削減したＯＦＤＭ方式の無線通信装置を提供することを課題とする。
【００１２】
【課題を解決するための手段】
前記課題を解決するため、請求項１の発明が講じた手段は、複数のサブキャリアにより情報を伝送する直交周波数分割多重信号を受信する無線通信装置であって、直交検波後の受信データに位相補正を行って、得られた位相補正後の受信データを出力するとともに、前記直交検波後の受信データに基づいて伝送路歪の量を求めて出力する同期手段と、前記位相補正後の受信データをフーリエ変換し、得られた周波数軸上の受信データを出力するフーリエ変換手段と、前記周波数軸上の受信データを復調して、得られた復調後の受信データを出力するとともに、前記周波数軸上の受信データ及び前記復調後の受信データに基づいて伝送路歪の量を求めて出力する復調手段と、前記復調後の受信データを復号し、得られた復号ビットストリームを出力するとともに、前記復調後の受信データに基づいて伝送路歪の量を求めて出力する復号手段と、前記同期手段が出力する伝送路歪の量に基づいて、データ精度制御信号を生成し、出力する伝送路歪量検出手段と、前記データ精度制御信号に応じて受信データ処理のビット幅を変化させるように、前記同期手段、前記フーリエ変換手段、前記復調手段及び前記復号手段を制御するデータ精度制御手段とを有する。
【００１３】
請求項１の発明によると、受信データに対する処理精度を必要以上に高くしないようにすることができる。信号レベルが変化するビットの数を少なくすることができるので、復号ビットストリームを得るための処理において、消費電力を低減することができる。
【００１４】
また、請求項２の発明は、複数のサブキャリアにより情報を伝送する直交周波数分割多重信号を受信する無線通信装置であって、直交検波後の受信データに位相補正を行って、得られた位相補正後の受信データを出力するとともに、前記直交検波後の受信データに基づいて伝送路歪の量を求めて出力する同期手段と、前記位相補正後の受信データをフーリエ変換し、得られた周波数軸上の受信データを出力するフーリエ変換手段と、前記周波数軸上の受信データを復調して、得られた復調後の受信データを出力するとともに、前記周波数軸上の受信データ及び前記復調後の受信データに基づいて伝送路歪の量を求めて出力する復調手段と、前記復調後の受信データを、ビタビアルゴリズムを用いて復号し、得られた復号ビットストリームを出力するとともに、前記復調後の受信データに基づいて伝送路歪の量を求めて出力するビタビ復号手段と、前記同期手段、前記復調手段、及び前記ビタビ復号手段が出力する伝送路歪の量のうちの少なくともいずれかに基づいて、データ精度制御信号を生成し、出力する伝送路歪量検出手段と、前記データ精度制御信号に応じて受信データ処理のビット幅を変化させるように、前記同期手段、前記フーリエ変換手段、前記復調手段及び前記ビタビ復号手段を制御するデータ精度制御手段と、前記データ精度制御信号に応じて受信データ保持量を変化させるように、前記ビタビ復号手段を制御するデータ保持量制御手段とを備えたものである。
【００１５】
請求項２の発明によると、伝送路歪の量に応じて受信データ処理のビット幅を変化させ、ビタビ復号手段における受信データ保持量を変化させることができる。信号レベルが変化するビットの数を少なくすることができ、ビタビ復号の際の演算量を減らすことができるので、消費電力を低減することができる。
【００１６】
また、請求項３の発明では、請求項２に記載の無線通信装置において、前記同期手段は、前記直交検波後の受信データと所定の同期基準シンボルのパターンとの間の相関値を相関関数として求めるマッチドフィルタと、１シンボル期間に相当する期間における前記相関関数の２番目に大きい極大値と所定の値との差から前記伝送路歪の量を求めて出力するピーク値差分検出手段とを備える。
【００１７】
また、請求項４の発明では、請求項３記載の無線通信装置において、前記同期手段は、同期基準シンボルが入力されていない期間には、前記ピーク値差分検出手段のクロックを停止させる。
【００１８】
また、請求項５の発明では、請求項２に記載の無線通信装置において、前記同期手段は、前記直交検波後の受信データと所定の同期基準シンボルのパターンとの間の相関値を相関関数として求めるマッチドフィルタと、１シンボル期間に相当する期間における前記相関関数の積分値を、積分期間を移動させながら順次求め、前記積分値が所定の値以上となるような前記積分期間の移動範囲から前記伝送路歪の量を求めて出力する積分演算手段とを備える。
【００１９】
また、請求項６の発明では、請求項５に記載の無線通信装置において、前記同期手段は、同期基準シンボルが入力されていない期間には、前記積分演算手段のクロックを停止させる。
【００２０】
また、請求項７の発明では、請求項２に記載の無線通信装置において、前記復調手段は、各サブキャリアの位相及び振幅を表す信号点配置図上における実際の信号点と理想的な信号点との距離を前記伝送路歪の量として出力する。
【００２１】
また、請求項８の発明では、請求項２に記載の無線通信装置において、前記ビタビ復号手段は、最尤パスのブランチメトリックと、当該最尤パス以外のブランチメトリックとの差が、所定のしきい値以上になるような受信データ保持期間の長さを求め、前記伝送路歪の量として出力する。
【００２２】
また、請求項９の発明は、請求項２に記載の無線通信装置において、前記同期手段は、前記直交検波後の受信データが入力されると、当該データに基づいて伝送路歪の量を求め、これに応じて当該同期手段における受信データ処理のビット幅を変化させるものであり、前記復調手段は、前記フーリエ変換手段が出力する受信データが入力されると、当該データに基づいて伝送路歪の量を求め、これと前記同期手段が求めた伝送路歪の量とに応じて、当該復調手段における受信データ処理のビット幅を変化させるものであり、前記ビタビ復号手段は、前記復調手段が出力する受信データが入力されると、当該データに基づいて伝送路歪の量を求め、これと前記同期手段及び前記復調手段が求めた伝送路歪みの量とに応じて、当該ビタビ復号手段における受信データ処理のビット幅と、受信データ保持量とを変化させるものである。
【００２３】
また、請求項１０の発明では、請求項２に記載の無線通信装置において、前記伝送路歪量検出手段は、複数のレジスタを備え、当該複数のレジスタのうち、前記同期手段、前記復調手段、及び前記ビタビ復号手段が求める各伝送路歪の量の組み合わせに対応するもののそれぞれに、前記データ精度制御信号の値を格納させる。
【００２４】
また、請求項１１の発明は、複数のサブキャリアにより情報を伝送する直交周波数分割多重信号を受信する無線通信装置であって、直交検波後の受信データに位相補正を行って、得られた位相補正後の受信データを出力する同期手段と、前記位相補正後の受信データをフーリエ変換し、得られた周波数軸上の受信データを出力するフーリエ変換手段と、前記周波数軸上の受信データを復調して、得られた復調後の受信データを出力する復調手段と、前記復調後の受信データを、ビタビアルゴリズムを用いて復号し、得られた復号ビットストリームを出力するとともに、前記サブキャリアの変調方式を検出して出力するビタビ復号手段と、前記サブキャリアの変調方式に応じて受信データ処理のビット幅を変化させるように、前記同期手段、前記フーリエ変換手段、前記復調手段及び前記ビタビ復号手段を制御するデータ精度制御手段と、前記サブキャリアの変調方式に応じて受信データ保持量を変化させるように、前記ビタビ復号手段を制御するデータ保持量制御手段とを備えたものである。
【００２５】
請求項１１の発明によると、サブキャリアの変調方式に応じて受信データ処理のビット幅を変化させ、ビタビ復号手段における受信データ保持量を変化させることができる。信号レベルが変化するビットの数を少なくすることができ、ビタビ復号の際の演算量を減らすことができるので、消費電力を低減することができる。
【００２６】
また、請求項１２の発明では、請求項１１に記載の無線通信装置において、前記ビタビ復号手段は、前記サブキャリアの変調方式に応じて、動作周波数を変化させる。
【００２７】
また、請求項１３の発明は、請求項２又は１１に記載の無線通信装置において、受信データの所定のビットの値を零に固定することにより、受信データ処理のビット幅を変化させることを特徴とする。
【００２８】
また、請求項１４の発明は、請求項２又は１１に記載の無線通信装置において、データの一部のビットを処理するための回路へのクロックを停止することにより、受信データ処理のビット幅を変化させることを特徴とする。
【００２９】
本明細書において、処理精度は、受信データ処理のビット幅、又は復号のために用いる受信データ保持量を示すものとする。
【００３０】
【発明の実施の形態】
以下、本発明の実施の形態について、図面を参照しながら説明する。
【００３１】
（第１の実施形態）
図１は、本発明の第１の実施形態に係る無線通信装置のブロック図である。図１の無線通信装置は、周波数変換手段１と、Ａ／Ｄコンバータ２と、直交検波手段３と、同期手段４と、フーリエ変換手段５と、復調手段６と、ビタビ（Viterbi）復号手段７と、受信制御手段１１と、クロック制御手段１２と、伝送路歪量検出手段１３と、データ精度制御手段１４と、データ保持量制御手段１５とを備えている。これらの構成要素のそれぞれにはクロックが入力されている。
【００３２】
図１において、周波数変換手段１は、伝送路を介して受信した受信信号に周波数変換を行って周波数をシフトさせ、得られた信号をＡ／Ｄコンバータ２に出力する。このとき、受信信号は、中間周波数の受信信号に変換される。Ａ／Ｄコンバータ２は、周波数が変換された受信信号に対してサンプリング及びＡ／Ｄ変換をして、得られたディジタル化された受信データを直交検波手段３に出力する。以下では例として、Ａ／Ｄコンバータ２は１シンボル当たり１６点でサンプリングを行うものとする。直交検波手段３は、ディジタル化された受信データに直交検波を行い、ベースバンド帯域にダウンコンバートされた時間軸上の実数部（Ｉ受信データＩＲ）と虚数部（Ｑ受信データＱＲ）とに分離し、同期手段４に出力する。
【００３３】
同期手段４は、送信側の装置と受信側の装置とが同期するように、受信データに付加されている同期基準シンボルを検出してタイミングの再生を行う。同期手段４は、Ｉ受信データＩＲとＱ受信データＱＲとに分離された直交検波後の受信データから、同期基準シンボルのタイミングを再生して、得られた再生タイミング信号ＴＳを受信制御手段１１に出力する。また、同期手段４は、Ｉ受信データＩＲ及びＱ受信データＱＲに位相補正を行い、位相補正後のＩ受信データＩＳ及びＱ受信データＱＳとしてフーリエ変換手段５に出力する。更に、同期手段４は、伝送路歪の量として、第１及び第２の同期伝送路歪量検出信号Ｄ１及びＤ２を求めて伝送路歪量検出手段１３に出力する。
【００３４】
フーリエ変換手段５は、同期基準シンボルに同期した位相補正後のＩ受信データＩＳ及びＱ受信データＱＳ（時間軸上のＯＦＤＭシンボル）をフーリエ変換し、周波数軸上のデータに変換する。これにより、ＯＦＤＭシンボルが各サブキャリア毎に分離され、各サブキャリアの位相及び振幅情報を得ることができる。以下では例として、各サブキャリアは１６ＱＡＭ方式で変調されているものとして説明する。フーリエ変換手段５は、得られた周波数軸上のＩ受信データＩＦ及びＱ受信データＱＦを復調手段６に出力する。
【００３５】
伝送路歪みがある場合、ＯＦＤＭ信号の各サブキャリアは、位相回転を生じるので位相が送信時の位相からずれる。各サブキャリアの位相は情報の伝送を担っているので、位相がずれると送信データが誤って再生されてしまう。送受信装置間で周波数ずれや時間ずれがある場合も、各サブキャリアの位相誤差を補正し、ＯＦＤＭシンボルの復調を行う必要がある。
【００３６】
復調手段６は、ＯＦＤＭシンボル内の位相回転誤差を推定し、各サブキャリアの位相誤差を補償して、各サブキャリアの位相と振幅を求める。すなわち、同期手段４が同期基準シンボルに基づいてある程度同期をとった後、復調手段６は、同期手段４が除去できなかった位相のずれがなくなるように位相補償を行い、更に復調の精度を向上させている。
【００３７】
復調手段６は、周波数軸上のＩ受信データＩＦ及びＱ受信データＱＦを復調する。すなわち、Ｉ受信データＩＦ及びＱ受信データＱＦを、各サブキャリアごとに振幅と位相とに対応する複素データ（復調後のＩ受信データＩＤ及びＱ受信データＱＤ）に変換してビタビ復号手段７に出力する。また、復調手段６は、Ｉ受信データＩＦ及びＱ受信データＱＦ、並びに復調後のＩ受信データＩＤ及びＱ受信データＱＤに基づいて、伝送路歪の量として、復調伝送路歪量検出信号ＤＤを求めて伝送路歪量検出手段１３に出力する。
【００３８】
ビタビ復号手段７は、復調後のＩ受信データＩＤ及びＱ受信データＱＤに対して、ビタビアルゴリズムを用いて誤り訂正を施しながら復号し、復号ビットストリームを求めて出力する。また、伝送路歪の量として、ビタビ復号伝送路歪量検出信号ＶＤを求め、伝送路歪量検出手段１３に出力する。
【００３９】
受信制御手段１１は、再生タイミング信号ＴＳに基づいて、同期手段４、フーリエ変換手段５、復調手段６、ビタビ復号手段７等の機能ブロックのうちのいずれがデータの処理を行っているかを把握している。再生タイミング信号ＴＳが入力されてからのクロックのサイクル数によって、受信データがどこまで達しているかを知ることができるからである。受信制御手段１１は、データの処理を行っておらず、クロックを停止すべき機能ブロックを示す受信動作制御信号ＲＣを生成して、クロック制御手段１２に出力する。
【００４０】
クロック制御手段１２は、受信動作制御信号ＲＣによって示された機能ブロックのクロックを停止するように指示するクロック制御信号ＣＣを生成して、同期手段４、フーリエ変換手段５、復調手段６及びビタビ復号手段７に出力する。
【００４１】
伝送路歪量検出手段１３は、第１及び第２の同期伝送路歪量検出信号Ｄ１，Ｄ２、復調伝送路歪量検出信号ＤＤ、及びビタビ復号伝送路歪量検出信号ＶＤに基づいて、受信データ処理のビット幅及び受信データ保持量を制御するためのデータ精度制御信号ＰＣを生成し、データ精度制御手段１４及びデータ保持量制御手段１５に出力する。
【００４２】
伝送路歪量検出手段１３は、第１の同期伝送路歪量検出信号Ｄ１、第２の同期伝送路歪量検出信号Ｄ２、復調伝送路歪量検出信号ＤＤ、及びビタビ復号伝送路歪量検出信号ＶＤの値の組み合わせに対するデータ精度制御信号ＰＣの値をテーブルとして有している。例えば、伝送路歪量検出手段１３は、レジスタを複数備え、そのうち、これらの信号の値の組み合わせに対応するもののそれぞれに、データ精度制御信号ＰＣの値を格納させるようにする。伝送路歪量検出手段１３は、入力された検出信号が示す伝送路歪の量が大きい程、受信データ処理のビット幅及び受信データ保持量を大きくするように指示するデータ精度制御信号ＰＣを出力する。
【００４３】
データ精度制御手段１４は、データ精度制御信号ＰＣに基づいて、同期用データ精度制御信号ＳＰ、フーリエ変換用データ精度制御信号ＦＰ、復調用データ精度制御信号ＤＰ、及びビタビ復号用データ精度制御信号ＶＰを求め、同期手段４、フーリエ変換手段５、復調手段６、及びビタビ復号手段７のそれぞれに出力する。
【００４４】
データ精度制御手段１４は、データ精度制御信号ＰＣの値に対する同期用データ精度制御信号ＳＰ、フーリエ変換用データ精度制御信号ＦＰ、復調用データ精度制御信号ＤＰ、及びビタビ復号用データ精度制御信号ＶＰの値をテーブルとして有している。例えば、データ精度制御手段１４は、レジスタを複数備え、データ精度制御信号ＰＣの各値に対応する各４個のレジスタに、同期用データ精度制御信号ＳＰ、フーリエ変換用データ精度制御信号ＦＰ、復調用データ精度制御信号ＤＰ、及びビタビ復号用データ精度制御信号ＶＰの値を格納させるようにする。
【００４５】
データ保持量制御手段１５は、データ精度制御信号ＰＣに基づいて、データ保持量制御信号ＤＡを生成してビタビ復号手段７に出力する。データ保持量制御手段１５は、データ精度制御信号ＰＣの値に対するデータ保持量制御信号ＤＡの値をテーブルとして有している。例えば、データ保持量制御手段１５は、レジスタを複数備え、データ精度制御信号ＰＣの各値に対応する各レジスタに、データ保持量制御信号ＤＡの値を格納させるようにする。
【００４６】
伝送路歪量検出手段１３、データ精度制御手段１４、及びデータ保持量制御手段１５は、テーブルを有しているので、テーブルを変更すれば、受信データ処理のビット幅及び受信データ保持量に対して異なった制御を行うことができる。伝送路歪量検出手段１３、データ精度制御手段１４、及びデータ保持量制御手段１５は、レジスタではなく、メモリ等にテーブルを格納するようにしてもよいし、テーブルを用いず、入力された信号の値に所定の演算を行って、出力する信号を求めるようにしてもよい。
【００４７】
同期手段４は、同期用データ精度制御信号ＳＰに従って、受信データ処理のビット幅、すなわち、入力された受信データに対して以上のような演算処理をする際のビット幅を制御する。同様に、フーリエ変換手段５、復調手段６、及びビタビ復号手段７も、それぞれに入力されるフーリエ変換用データ精度制御信号ＦＰ、復調用データ精度制御信号ＤＰ、及びビタビ復号用データ精度制御信号ＶＰに従って、受信データ処理のビット幅を変化させる。また、ビタビ復号手段７は、データ保持量制御信号ＤＡに従って、受信データ保持量を制御する。受信データ保持量は、最尤パスを求める際に用いる受信データの数である。
【００４８】
受信データ処理のビット幅の制御をするには、例えば、データの一部のビットを“０”に固定する。これによると、高速にビット幅を制御することができる。また、データの一部のビットを処理するための回路へのクロックを停止してもよい。これによると、更に低消費電力化を図ることができる。
【００４９】
図２は、図１の同期手段４の構成を示すブロック図である。図２において、同期手段４は、マッチドフィルタ４１と、ピーク値差分検出手段４２と、積分演算手段４３と、タイミング再生手段４４と、位相補正量演算手段４５と、受信データ位相補正手段４６とを備えている。
【００５０】
同期手段４の各構成要素は、同期用データ精度制御信号ＳＰに従って、受信データ処理のビット幅を変化させるようになっている。また、同期手段４の各構成要素は、同期基準シンボルが入力されていない期間には、クロック制御信号ＣＣに従って、それぞれにおけるクロックを停止させるようになっている。
【００５１】
マッチドフィルタ４１は、Ｉ受信データＩＲと、Ｑ受信データＱＲとを入力とし、同期基準シンボルを検出するために、相関信号を求めてピーク値差分検出手段４２、積分演算手段４３、タイミング再生手段４４、及び位相補正量演算手段４５に出力する。
【００５２】
図３は、図２のマッチドフィルタ４１の構成図である。図３のマッチドフィルタ４１は、１６ビットのシフトレジスタ４１１と、シフトレジスタ４１１の各ビットをそれぞれ入力とする１６個の乗算器４１２と、加算器４１３とを備えている。
【００５３】
同期基準シンボルのサンプリングデータ数を１６データと仮定し、１シンボル期間を１周期とする。図３のシフトレジスタ４１１に左側から入力された受信データは、順次右にシフトされ、１周期分の信号が入力されると、フィルタの中間タップとしてのシフトレジスタ４１１の各ビットから１周期分の信号を同時に取り出せるようになる。シフトレジスタ４１１の各ビットは、対応する１６個の乗算器４１２に出力される。１６個の乗算器４１２のそれぞれには係数が設定されており、各乗算器４１２は、その係数と入力されたビットとの積を加算器４１３に出力する。
【００５４】
例えば、受信データから検出したい同期基準シンボルのパターンが“1011 0101 0110 0101”であるとすると、１６個の乗算器４１２には、右から順にこのパターンの各ビットの値を設定する。加算器４１３は、各乗算器４１２の出力を加算して、この検出したいパターンとシフトレジスタ４１１に格納された１６ビットのデータとの間の相関値を相関信号として出力する。このように、受信された信号と検出したいパターンとの相関値がリアルタイムで得られることになる。相関信号を観察すると、必ず相関値の鋭いピークが現れ、同期基準シンボルを検出することができる。このピークが現れるタイミングを利用して、タイミングの再生を行い、受信データに位相補正を行う。
【００５５】
図４は、図２のマッチドフィルタ４１が出力する相関信号の波形を示す説明図である。相関信号には、１シンボルに相当する期間毎に相関値の鋭いピークが必ず１箇所現れる。図４（ａ）は、伝送路歪がないとし、理想的な同期基準シンボルが受信された場合について示す図である。この場合は、きれいなピーク波形が得られる。図４（ｂ）は、伝送路歪が付加された同期基準シンボルが受信された場合について示す図である。この場合は、ピーク値以外のところにも伝送路歪に起因して生じる波形の山ができる。
【００５６】
図４に示すように、所定のスレッショルドと相関関数のピーク値以外の山の最大値（すなわち、２番目に大きい極大値）との差（伝送路歪余裕と称する）が小さいほど伝送路歪の量が大きく、この差が大きいほど伝送路歪の量が小さいことがわかる。ピーク値差分検出手段４２は、相関信号から図４のような伝送路歪余裕を検出し、第１の同期伝送路歪量検出信号Ｄ１として伝送路歪量検出手段１３に出力する。
【００５７】
図５は、図２の積分演算手段４３が有する積分回路の構成を示すブロック図である。図５の積分回路は、フリップフロップ４３１及び加算器４３２を各１６個有している。この積分回路は、相関信号のある時点までの１６サンプルの合計を積分値として出力することができる。各フリップフロップ４３１には、１サンプリングが行われる毎にクロック（図示せず）が入力され、右隣のフリップフロップ４３１に値が移動して行くようになっている。したがって、図５の積分回路は、相関信号についての１６サンプルの期間の積分値を、積分する期間を移動させながら出力することができる。
【００５８】
図６は、相関信号と図５の積分回路の出力との関係を示す説明図である。図６（ａ）は、伝送路歪がないとし、理想的な同期基準シンボルが受信された場合について示す図である。この場合、相関信号は１サンプル点のみで大きな値となるので、図５の積分回路は、一定の値を１６サンプルに相当する期間出力する。図６（ｂ）は、伝送路歪が付加した同期基準シンボルが受信された場合について示す図である。この場合、図５の積分回路が比較的大きな値を出力する期間は、１６サンプルに相当する期間よりも長い。
【００５９】
図６に示すように、図５の積分回路が比較的大きな値を出力する期間が長いほど伝送路歪の量が大きく、この期間が短いほど伝送路歪の量が小さいことがわかる。そこで、積分演算手段４３は、図５の積分回路の出力が所定のしきい値を越える期間の長さを求め、第２の同期伝送路歪量検出信号Ｄ２として伝送路歪量検出手段１３に出力する。
【００６０】
図２において、タイミング再生手段４４は、相関信号のピーク値を同期基準シンボルのタイミングとし、これに同期した再生タイミング信号ＴＳを受信制御手段１１に出力する。位相補正量演算手段４５は、相関信号のピーク値から位相誤差量を示す位相補正制御信号を求め、受信データ位相補正手段４６に出力する。受信データ位相補正手段４６は、位相補正制御信号に基づいてＩ受信データＩＲ及びＱ受信データＱＲの位相を補正し、位相補正後のＩ受信データＩＳ及びＱ受信データＱＳとしてフーリエ変換手段５に出力する。
【００６１】
図７は、図１の復調手段６の構成を示すブロック図である。図７において、復調手段６は、位相補正手段６１と、信号点座標判定手段６２と、信号点座標差分検出手段６３とを備えている。位相補正手段６１は、周波数軸上のＩ受信データＩＦ及びＱ受信データＱＦに位相補正を行い、得られた補正後のＩ受信データ及びＱ受信データを信号点座標判定手段６２に出力する。
【００６２】
図８は、信号点配置図（constellation diagram）上における１６ＱＡＭ方式の信号点配置及びエラーベクターを示す説明図である。図８において、記号●は理想的な信号点の座標を示し、記号○は補正後のＩ受信データ及びＱ受信データの信号点の座標の例を示す。図８の理想的な信号点（記号●）どうしの間には境界が設定されており、信号点座標判定手段６２は、理想的な信号点のうち、補正後のＩ受信データ及びＱ受信データの信号点（記号○）に最も近いものを判定し、その座標を復調後のＩ受信データＩＤ及びＱ受信データＱＤとしてビタビ復号手段７に出力する。
【００６３】
信号点座標差分検出手段６３は、図８のような複素平面において、位相補正手段６１が出力する補正後のＩ受信データ及びＱ受信データが示す座標と、信号点座標判定手段６２が出力する復調後のＩ受信データＩＤ及びＱ受信データＱＤが示す座標との差（エラーベクター）の大きさを、復調伝送路歪量検出信号ＤＤとして伝送路歪量検出手段１３に出力する。
【００６４】
ビタビ復号手段７は、復調後のＩ受信データＩＤ及びＱ受信データＱＤを所定の時間分だけ蓄積し、ビタビアルゴリズムを用いて最も送信された可能性の高い符号系列を推定し、復号ビットストリームを得る。これにより、伝送路において受信信号に伝送路歪が付加され、受信信号が劣化したために発生する誤りを訂正することができる。
【００６５】
ビタビアルゴリズムは、符号系列を効率的に推定するためのアルゴリズムとして知られている。ビタビアルゴリズムは、ある時刻に、各状態へ至るパス（状態の遷移を表す）の尤度（送信系列と似ている度合いを示す尺度）を計算し、その状態に至る最も確からしいパス（最尤パス）のみを次の時刻から考慮するようにし、送信符号系列を推定するアルゴリズムである。全てのパスについて尤度を計算することは行わないので、演算量を大幅に削減することができる。
【００６６】
図９は、ビタビアルゴリズムの説明図である。受信データを２ビットの並列データに変換した後、ビタビアルゴリズムを使用して復号処理を行う例について説明する。２ビットの符号を（０，０），（０，１），（１，０），（１，１）の４つの状態に対応させると、送信データを所定期間観察したとき、状態はこの４状態の間を遷移していく。１シンボル時間までの遅延波の影響を考慮することとし（ビタビアルゴリズムの伝搬路メモリ長Ｌが“１”の場合）、図９を参照して説明する。
【００６７】
時刻ｉにおける状態（０，０）のパスメトリック（この状態に至る確からしさ）を求める。まず、時刻（ｉ−１）における状態（０，０）のパスメトリックに、時刻（ｉ−１）における状態（０，０）から時刻ｉにおける状態（０，０）へのパスのブランチメトリックを加算し、この値をＡ１とする。次に、時刻（ｉ−１）における状態（０，１）のパスメトリックに、時刻（ｉ−１）における状態（０，１）から時刻ｉにおける状態（０，０）へのパスのブランチメトリックを加算し、この値をＡ２とする。
【００６８】
次に、時刻（ｉ−１）における状態（１，０）のパスメトリックに、時刻（ｉ−１）における状態（１，０）から時刻ｉにおける状態（０，０）へのパスのブランチメトリックを加算し、この値をＡ３とする。次に、時刻（ｉ−１）における状態（１，１）のパスメトリックに、時刻（ｉ−１）における状態（１，１）から時刻ｉにおける状態（０，０）へのパスのブランチメトリックを加算し、この値をＡ４とする。
【００６９】
以上で求めた、Ａ１，Ａ２，Ａ３及びＡ４を比較し、最も小さいものを選択して時刻ｉにおける状態（０，０）のパスメトリックとする。Ａ１，Ａ２，Ａ３及びＡ４のうち選択したものに対応したパスのみを残し、時刻（ｉ＋１）以降は、そのパスのみを考慮すれば良い。この残されたパスを「生き残りパス」と称し、これを生き残りパス情報として、記憶手段に格納しておく。このような処理を、時刻ｉにおける他の状態（０，１），（１，０），（１，１）について同様に行う。
【００７０】
受信データ保持量を、遅延波の影響が及ぶシンボル長と等しくすることとすると（これをＬとする）、時刻ｉから受信データ保持量Ｌに相当する時間だけ遡って、受信データ系列を用いて、時刻ｉにおける最尤パス（時刻ｉにおける生き残りパスのうち、時刻ｉにおけるパスメトリックが最小のパス）を決定する。最尤パスは、ブランチメトリック（受信データと、パスとの間の近似度）の値によって決定されていく。最終的には、誤り訂正された受信データを最尤パスから求めることができる。
【００７１】
ビタビ復号手段７は、時間を遡りながら、ブランチメトリックの値が最も小さいパス（最尤パス）と、ブランチメトリックの値が最尤パスの次に小さいパス（生き残りパス）との間でブランチメトリックの差を求め、その差が所定のしきい値よりも大きくなったとき、遡った時間を伝送路歪の量として検出することとする。遡った時間が少なければ少ないほど伝送路歪の量は少ないと判断する。ビタビ復号手段７は、遡った時間をビタビ復号伝送路歪量検出信号ＶＤとして出力する。
【００７２】
図１０は、図１の無線通信装置の動作を示すフローチャートである。図１０において、ステップＳ１１では、周波数変換手段１、Ａ／Ｄ変換手段２、直交検波手段３、同期手段４にはクロックを供給しておく。クロック制御手段１２は、フーリエ変換手段５、復調手段６、ビタビ復号手段７にクロックを停止するように指示するクロック制御信号ＣＣを出力する。
【００７３】
ステップＳ１２では、伝送路歪量検出手段１３は、最も高精度に受信データが処理できるように、受信データ処理のビット幅等を設定する。すなわち、伝送路歪量検出手段１３は、同期手段４、フーリエ変換手段５、復調手段６、及びビタビ復号手段７における受信データ処理のビット幅、並びにビタビ復号手段７における受信データ保持量を最大にするように指示するデータ精度制御信号ＰＣを出力する。
【００７４】
ステップＳ１３では、受信制御手段１１は、同期手段４が出力する再生タイミング信号ＴＳに基づいて、受信データを検出したか否か、すなわち、同期手段４に受信データが到達したか否かを判断する。検出した場合はステップＳ１４に進み、検出しない場合はこのステップを再び実行する。
【００７５】
ステップＳ１４では、同期手段４は、伝送路歪の量として、第１及び第２の同期伝送路歪量検出信号Ｄ１及びＤ２を求める。
【００７６】
ステップＳ１５では、処理精度を変更するルーチンを実行する。ここでは、伝送路歪量検出手段１３は、第１及び第２の同期伝送路歪量検出信号Ｄ１及びＤ２に基づいて、同期手段４における受信データ処理のビット幅を変更するように指示するデータ精度制御信号ＰＣを求めて出力する。
【００７７】
ステップＳ２１では、受信制御手段１１は、再生タイミング信号ＴＳに基づいて、フーリエ変換手段５に受信データが到達したか否かを判断し、クロック制御手段１２に通知する。到達している場合はステップＳ２２に進み、到達していない場合はこのステップを再び実行する。
【００７８】
ステップＳ２２では、クロック制御手段１２は、同期基準シンボルが入力されていない期間であるので、同期手段４におけるピーク値差分検出手段４２、積分演算手段４３、位相補正量演算手段４５のクロックは停止するように指示し、フーリエ変換手段５にはクロックを供給するように指示するクロック制御信号ＣＣを出力する。
【００７９】
ステップＳ２３では、受信制御手段１１は、再生タイミング信号ＴＳに基づいて、復調手段６に受信データが到達したか否かを判断し、クロック制御手段１２に通知する。到達している場合はステップＳ２４に進み、到達していない場合はこのステップを再び実行する。
【００８０】
ステップＳ２４では、クロック制御手段１２は、復調手段６にはクロックを供給するように指示するクロック制御信号ＣＣを出力する。
【００８１】
ステップＳ２５では、復調手段６は伝送路歪の量、すなわち、復調伝送路歪量検出信号ＤＤを求める。
【００８２】
ステップＳ２６では、処理精度を変更するルーチンを実行する。ここでは、伝送路歪量検出手段１３は、第１及び第２の同期伝送路歪量検出信号Ｄ１及びＤ２、並びに復調伝送路歪量検出信号ＤＤに基づいて、復調手段６における受信データ処理のビット幅を変更するように指示するデータ精度制御信号ＰＣを求めて出力する。
【００８３】
ステップＳ３１では、受信制御手段１１は、再生タイミング信号ＴＳに基づいて、ビタビ復号手段７に受信データが到達したか否かを判断し、クロック制御手段１２に通知する。到達している場合はステップＳ３２に進み、到達していない場合はこのステップを再び実行する。
【００８４】
ステップＳ３２では、クロック制御手段１２は、ビタビ復号手段７にクロックを供給するように指示するクロック制御信号ＣＣを出力する。
【００８５】
ステップＳ３３では、ビタビ復号手段７は伝送路歪の量、すなわち、ビタビ復号伝送路歪量検出信号ＶＤを求める。
【００８６】
ステップＳ３４では、処理精度を変更するルーチンを実行する。ここでは、伝送路歪量検出手段１３は、第１及び第２の同期伝送路歪量検出信号Ｄ１及びＤ２、復調伝送路歪量検出信号ＤＤ、並びにビタビ復号伝送路歪量検出信号ＶＤに基づいて、ビタビ復号手段７における受信データ処理のビット幅を変更するように、かつ、ビタビ復号手段７における受信データ保持量を変更するように指示するデータ精度制御信号ＰＣを求めて出力する。
【００８７】
ステップＳ４１では、受信制御手段１１は、パケットが終了したか否かを判断し、クロック制御手段１２に通知する。パケットが終了した場合はステップＳ４２に進み、パケットが終了していない場合はこのステップを再び実行する。
【００８８】
ステップＳ４２では、クロック制御手段１２は、同期手段４の全体にクロックを供給し、フーリエ変換手段５、復調手段６、及びビタビ復号手段７のクロックを停止するように指示するクロック制御信号ＣＣを出力する。そして、ステップＳ１２に戻る。
【００８９】
図１１は、処理精度を変更するルーチンのフローチャートである。図１１において、ステップＳ５１では、伝送路歪量検出手段１３は、テーブルを参照して、同期手段４、復調手段６、及びビタビ復号手段７が求めた伝送路歪の量の組み合わせに対するデータ精度制御信号ＰＣの値を求める。
【００９０】
ステップＳ５２では、処理精度、すなわち、受信データ処理のビット幅、及びビタビ復号手段７における受信データ保持量を変更するか否かを判断する。変更する場合はステップＳ５３に進み、変更しない場合はこのルーチンを終了する。
【００９１】
ステップＳ５３では、処理精度を変更する。すなわち、同期手段４、復調手段６、及びビタビ復号手段７は、データ精度制御信号ＰＣに応じて受信データ処理のビット幅を変更し、ビタビ復号手段７は、データ精度制御信号ＰＣに応じて受信データ保持量を変更する。そして、このルーチンを終了する。
【００９２】
このように、図１の無線通信装置は、伝送路歪の量に応じて、受信データ処理のビット幅と、ビタビ復号手段７における受信データ保持量とを制御することができる。また、同期手段４及び復調手段６は、伝送路歪の量を求めるとすぐに受信データ処理の際のビット幅が制御されるので、受信データ処理のビット幅を高速に適切なものに変更することができる。更に、受信データ処理を行っていない部分を停止させ、必要な部分のみを動作させるようにクロック制御を行うことができる。したがって、受信動作中においても消費電力の削減を図ることができる。
【００９３】
（第２の実施形態）
図１２は、変調方式毎に伝送路歪と誤り率との関係を示す特性図である。図１２のように、変調方式の違いによって許容できる伝送路歪の範囲に違いがある。例えば、ＢＰＳＫ、ＱＰＳＫ、１６ＱＡＭ、６４ＱＡＭの変調方式を比較すると、ＢＰＳＫ、ＱＰＳＫ、１６ＱＡＭ、６４ＱＡＭの順に伝送路歪に対する許容範囲が広い。第１の実施形態では、伝送路歪の量によって受信データ処理のビット幅等を制御する無線通信装置について説明したが、第２の実施形態では、変調方式によって受信データ処理のビット幅等を制御する無線通信装置について説明する。
【００９４】
図１３は、本発明の第２の実施形態に係る無線通信装置のブロック図である。
図１３の無線通信装置は、図１の無線通信装置において、伝送路歪量検出手段１３を変調方式検出手段１６で置き換え、ビタビ復号手段７及びクロック制御手段１２をビタビ復号手段２７及びクロック制御手段３２でそれぞれ置き換えたものである。その他の構成要素については、図１を参照して説明したものと同様なので、同一の参照番号を付してその説明を省略する。
【００９５】
ビタビ復号手段２７は、受信データのヘッダからサブキャリアの変調方式を検出し、変調方式情報信号ＭＴとして変調方式検出手段１６に出力する。変調方式検出手段１６は、変調方式情報信号ＭＴを入力とし、データ精度制御信号ＰＣを生成してデータ精度制御手段１４及びデータ保持量制御手段１５に出力する。また、変調方式検出手段１６は、変調方式をクロック制御手段３２に通知する。
【００９６】
変調方式検出手段１６の動作シーケンスについて説明する。変調方式検出手段１６は、受信動作開始時において、最も高精度に受信データが処理できるように、受信データ処理のビット幅等を設定する。すなわち、変調方式検出手段１６は、同期手段４、フーリエ変換手段５、復調手段６、及びビタビ復号手段２７における受信データ処理のビット幅、並びにビタビ復号手段２７における受信データ保持量を最大にするように指示するデータ精度制御信号ＰＣを出力する。
【００９７】
受信データ入力後、受信データがビタビ復号手段２７に達すると、変調方式検出手段１６は、ビタビ復号手段２７が出力する変調方式情報信号ＭＴに応じて、受信データ処理のビット幅と、ビタビ復号手段における受信データ保持量を逐次変更するように、データ精度制御信号ＰＣを出力する。これにより、各変調方式の許容できる伝送路歪に応じて受信データ処理のビット幅等の制御を行い、受信動作中の消費電力を削減することができる。
【００９８】
図１４は、図１３のビタビ復号手段２７における復調データ保持タイミングを示すタイミング図である。例えばＢＰＳＫと１６ＱＡＭとを比べると、１シンボル内のデータ量はＢＰＳＫの方が少ない。同一のクロックを用いた場合は、過去の受信データを保持するための、ビタビ復号手段２７が有する受信データ保持用メモリへの書き込み期間ＷＲは、ＢＰＳＫの場合の方が短い。
【００９９】
受信データ保持用メモリへの書き込みは、１シンボル期間内に終了すれば動作上問題ないので、サブキャリアの変調方式がＢＰＳＫの場合の受信データ保持用メモリへの書き込みクロックは、変調方式が１６ＱＡＭの場合の受信データ保持用メモリへの書き込みクロックに比べて周波数が低くてもよい。そこで、クロック制御手段３２は、変調方式に応じて、ビタビ復号手段２７のクロック周波数を変化させるように指示するクロック制御信号ＣＣを出力し、ビタビ復号手段２７の動作周波数を変化させる。変調方式がＢＰＳＫの場合に、変調方式が１６ＱＡＭの場合よりもビタビ復号手段２７の動作周波数が小さくなるようにすれば、受信動作中の消費電力を削減することができる。
【０１００】
このように、図１３の無線通信装置は、変調方式に応じて、受信データ処理のビット幅と、ビタビ復号手段２７における受信データ保持量とを制御することができる。また、サブキャリアの変調方式に応じて、クロック周波数を変化させるようにクロック制御を行うことができる。したがって、受信動作中においても消費電力の削減を図ることができる。
【０１０１】
【発明の効果】
以上のように、本発明の無線通信装置によると、伝送路歪の量やサブキャリアの変調方式に応じて、データを処理する際のビット幅の制御を行い、ビタビ復号手段における受信データ保持量を変化させる。このため、受信動作中においても受信性能を低下させることなく、消費電力の削減を図ることができる。
【図面の簡単な説明】
【図１】本発明の第１の実施形態に係る無線通信装置のブロック図である。
【図２】図１の同期手段の構成を示すブロック図である。
【図３】図２のマッチドフィルタの構成図である。
【図４】図２のマッチドフィルタが出力する相関信号の波形を示す説明図である。
【図５】図２の積分演算手段が有する積分回路の構成を示すブロック図である。
【図６】相関信号と図５の積分回路の出力との関係を示す説明図である。
【図７】図１の復調手段の構成を示すブロック図である。
【図８】信号点配置図上における１６ＱＡＭ方式の信号点配置及びエラーベクターを示す説明図である。
【図９】ビタビアルゴリズムの説明図である。
【図１０】図１の無線通信装置の動作を示すフローチャートである。
【図１１】処理精度を変更するルーチンのフローチャートである。
【図１２】変調方式毎に伝送路歪と誤り率との関係を示す特性図である。
【図１３】本発明の第２の実施形態に係る無線通信装置のブロック図である。
【図１４】図１３のビタビ復号手段における復調データ保持タイミングを示すタイミング図である。
【図１５】従来のＯＦＤＭ信号受信装置のブロック図である。
【符号の説明】
１  周波数変換手段
２  Ａ／Ｄコンバータ
３  直交検波手段
４  同期手段
５  フーリエ変換手段
６  復調手段
７，２７  ビタビ復号手段
１１  受信制御手段
１２，３２  クロック制御手段
１３  伝送路歪量検出手段
１４  データ精度制御手段
１５  データ保持量制御手段
１６  変調方式検出手段
４１  マッチドフィルタ
４２  ピーク値差分検出手段
４３  積分演算手段
【図１】
0004639007.tif 000002
【図２】
0004639007.tif 000003
【図３】
0004639007.tif 000004
【図４】
0004639007.tif 000005
【図５】
0004639007.tif 000006
【図６】
0004639007.tif 000007
【図７】
0004639007.tif 000008
【図８】
0004639007.tif 000009
【図９】
0004639007.tif 000010
【図１０】
0004639007.tif 000011
【図１１】
0004639007.tif 000012
【図１２】
0004639007.tif 000013
【図１３】
0004639007.tif 000014
【図１４】
0004639007.tif 000015
【図１５】
0004639007.tif 000016